(57)【要約】【課題】  蓋上面又は枠体内への周囲の土砂や地表水、或いは埃やゴミの侵入防止及び植物の越境防止を図ると共に、施工性のよい地表埋設用枠体を提供する。【解決手段】  地中室を形成すべく地表に埋設する地表埋設用枠体において、枠体本体２をその上部開口部３の周縁部４を地上に突出して地表に埋設し、前記開口部３を閉塞すべく開口部３の内周壁に設けた蓋受段部５に載置する蓋７の上面７ａを前記周縁部４の上面４ａより低く位置させる。【選択図】図１
2008274736.tif 000002
【特許請求の範囲】
【請求項１】
地中室を形成すべく地表に埋設される地表埋設用枠体において、枠体本体（２）がその上部開口部（３）の周縁部（４）を地上に突出して地表に埋設され、前記開口部（３）を閉塞すべく開口部（３）の内周壁に設けられた蓋受段部（５）に載置される蓋（７）の上面（７ａ）が、前記周縁部（４）の上面（４ａ）より低く位置されてなることを特徴とする地表埋設用枠体。
【請求項２】
枠体本体（２）が、複数の子枠体（２ａ）が上下に積み重ねられて形成された請求項１記載の地表埋設用枠体。
【請求項３】
枠体本体（２）の上部開口部（３）の周縁部（４）の全体又は適宜箇所が蓋（７）の上面（７ａ）の外周縁（７ａ′）付近より上側で透水層（４ｂ）に形成されるか、或いは前記周縁部（４）の適宜箇所にその底面（６ａ）が蓋（７）の上面（７ａ）の外周縁（７ａ′）付近に位置する凹又は孔部をなす導水路（６）が設けられ、前記透水層（４ｂ）又は導水路（６）を介して周縁部（４）の内側と外側が少なくとも通水可能に連通された請求項１又は２記載の地表埋設用枠体。
【発明の詳細な説明】
【技術分野】
【０００１】  本発明は、地表埋設用枠体に関するものであり、更に詳しくは、地中用弁室、栓室等のボックス類、雨水、汚水等の各種マス類、マンホール、ハンドホール等の筐体類等、地中室を形成する地表埋設用枠体に関するものである。
【背景技術】
【０００２】  従来、この種の地表埋設用枠体は、例えば図６に示す如く、地中室を形成するコンクリート製等の枠体本体２０がその上面、即ち、上部開口部２１を囲繞する周縁部２２の上面２２ａを地面Ｇと略面一状にして地表に埋設され、前記開口部２１の内周壁に沿って設けられた蓋受段部２３に、上部開口部２１を閉塞する蓋２４が、その上面２４ａを前記周縁部２２の上面２２ａ及び地面Ｇと略面一状にして載置されていた。
【発明の開示】
【発明が解決しようとする課題】
【０００３】  しかしながら、かかる従来の地表埋設用枠体は、枠体本体２０の上部開口部２１を囲繞する周縁部２２及び蓋２４の上面２２ａが地面Ｇと略面一状になされているために、周囲の土砂や地表水、或いは埃やゴミ等が、水勢や風力等によって枠体本体２０の周縁部２２を越境して蓋２４の上面２２ａに容易に侵入し、さらに枠体本体２０と蓋２４の隙間から内部に侵入したり、蓋２４の開閉時に内部に侵入しやすく、とくに地表が未舗装の場合に前記侵入が顕著に発生すると共に、周囲の雑草等の植物が蓋２４上に覆い被さるように越境して繁茂し、蓋２４の開閉を要する時に蓋２４の位置がわからなくなったり、越境した植物が邪魔になり開閉作業に支障が生じるといった問題点があった。
又、施工に際しても、枠体本体２０の周縁部２２の上面２２ａを地面Ｇと略面一状になるように調整しなければならず、手間がかかり、施工が煩瑣となる問題点もあった。
本発明はかかる従来の問題点に鑑みてなされたものであり、蓋上面又は枠体内への周囲の土砂や地表水、或いは埃やゴミの侵入防止及び植物の越境防止を図るとともに、施工性のよい地表埋設用枠体を提供することを課題としている。
【課題を解決するための手段】
【０００４】  上記課題を解決するため、本発明の地表埋設用枠体は、地中室を形成すべく地表に埋設される地表埋設用枠体において、枠体本体２がその上部開口部３の周縁部４を地上に突出して地表に埋設され、前記開口部３を閉塞すべく開口部３の内周壁に設けられた蓋受段部５に載置される蓋７の上面７ａが、前記周縁部４の上面４ａより低く位置されてなることを特徴とする。
又、本発明の地表埋設用枠体は、前記枠体本体２が、複数の子枠体２ａが上下に積み重ねられて形成された構成を採用することができる。【０００５】  又、本発明の地表埋設用枠体は、枠体本体２の上部開口部３の周縁部４の全体又は適宜箇所が蓋７の上面７ａの外周縁７ａ′付近より上側で透水層４ｂに形成されるか、或いは前記周縁部４の適宜箇所にその底面６ａが蓋７の上面７ａの外周縁７ａ′付近に位置する凹又は孔部をなす導水路６が設けられ、前記透水層４ｂ又は導水路６を介して周縁部４の内側と外側が少なくとも通水可能に連通された構成を採用することができる。
【発明の効果】
【０００６】  本発明の地表埋設用枠体は、枠体本体がその上部開口部の周縁部を地上に突出して地表に埋設され、前記開口部を閉塞すべく開口部の内周壁に設けられた蓋受段部に載置される蓋の上面が、前記周縁部の上面より低く位置されてなるために、周囲の土砂や地表水、或いは埃やゴミ等が、水勢や風力等によって移動しても、地上に突出せる枠体本体の周縁部によって遮られて容易に枠体本体の内側に侵入せず、さらに周縁部を乗り越えない限り蓋の上面まで侵入できず、周囲の土砂や地表水、或いは埃やゴミ等の枠体本体の内部への侵入を未然に防止できる。とくに地表が未舗装の場合には、前記効果を顕著に発揮できるとともに、周囲の雑草等の植物が枠体本体の周縁部によって遮られてその越境繁茂を防止でき、植物が邪魔になって蓋の発見、開閉等に支障が生じるようなことがない。
又、枠体本体が複数の子枠体が上下に積み重ねられて形成されると、種々の大きさや深さの地中室の形成に容易に対応して、その地表部において上記効果を奏することができる。【０００７】  又、本発明の地表埋設用枠体は、枠体本体の上部開口部の周縁部の全体又は適宜箇所が蓋の上面の外周縁付近より上側で透水層に形成されるか、或いは前記周縁部の適宜箇所にその底面が蓋の上面の外周縁付近に位置する凹又は孔部をなす導水路が設けられ、前記透水層又は導水路を介して周縁部の内側と外側が少なくとも通水可能に連通されているために、前記蓋の外周縁が地面より高く位置されれば、蓋の上面にたとえ周囲の地表水が侵入しても、透水層又は導水路を介して周縁部の外側、即ち蓋の外周縁より低い位置にある枠体本体の外側の地面へ容易に排出することができ、蓋の上面に水の滞留が生じない。とくに、前記周縁部に凹又は孔部をなす導水路が設けられる場合には、蓋の上面にたとえ周囲の地表水以外に土砂或いは埃やゴミ等が侵入しても、雨水等とともにこれらを導水路から周縁部の外側の地面へ容易に排出することができ、蓋の上面に滞留、堆積物が生じない。
又、枠体本体周囲の地面に地表水が多くたん水する際には、前記蓋の外周縁を地面より低く位置させて透水層又は導水路を設けることにより、透水層又は導水路を介して蓋の外周縁より高い位置にある前記地面の地表水を枠体本体内に導いて集水、排水することができ、地面での滞留を未然に防止できる。とくに、透水層を介して地表水を枠体本体内に導く場合には、透水層がフィルター効果を奏し蓋上面への砂利やゴミ等の侵入を未然に防止して排水でき、蓋の上面を清浄に維持できる。
【発明を実施するための最良の形態】
【０００８】  以下、図面を参照しながら本発明の実施の形態について説明する。
図１は本発明の地表埋設用枠体の一実施の形態を示し、１は本実施形態の地表埋設用枠体であって、地中室を形成すべく地表に埋設された略円筒形の枠体本体２と、その上部開口部３を閉塞する円形板状の蓋７とからなる。
前記枠体本体２は、図１（イ）乃至（ハ）に示すように、その上部開口部３を囲繞してなる周縁部４を地面Ｇより上側に突出させて地表に埋設され、前記開口部３の内周壁に沿って設けられた蓋受段部５に蓋７の周縁部が載置されて開口部３が蓋７により閉塞されている。
又、前記蓋７は、図１（ロ）及び（ハ）に示すように、その上面７ａが枠体本体２の前記周縁部４の上面４ａよりも低く位置され、地面Ｇと略面一状に位置されている。【０００９】  即ち、前記枠体本体２の周縁部４は、地面Ｇより上側で、蓋７の外周縁７ａ′を囲んで枠体本体２の内外を仕切る障壁をなし、その地面Ｇからの突出高さは、例えばその上側での人等の通行に大きな支障のない程度等の適宜高さとなされる。尚、図１（ハ）に示すように、前記周縁部４は、枠体本体２の略直立状の内、外周壁と平坦な上面４ａにより形成され、上面４ａが枠体本体２の外周縁に沿って面取りされた形状となされているが、かかる形状に限定されない。
又、図１（ロ）に示す如く、枠体本体２は、その内腔が下方で漸縮するとともに、上部外周壁がその周方向に沿って膨出する如く屈曲され、下部外周壁がその周方向に沿って鍔状に膨出されて形成された剛体、例えてコンクリート製の略円筒形となされ、地中の給水栓等（図示せず）を保護するための地中室を形成しているが、その材質や形状はこれに限定されず、又、他の弁室、栓室等を形成してもよい。【００１０】  又、前記蓋７は、金属板製で上面７ａに滑り止め用の網目状凸模様が施され、上下に摺動して引き出し可能に取付けた逆Ｕ形の２個の把手７ｂによって開閉可能となされ、把手７ｂがその不使用時に邪魔にならないように前記周縁部４の上面４ａより上側に突出しないようになされている。尚、該蓋７についても、前記のものに限定されることなく、他の材質や上面７ａが平滑状、凹凸粗面状等となされたり、把手７ｂも他の形状であったり、或いはなくともよいし、枠体本体２の開口部３を閉塞して少なくとも開閉可能となされればよい。尚、蓋７の上面７ａは地面Ｇより上側又は下側に位置してもよい。【００１１】  図２は本発明の地表埋設用枠体の他の実施の形態を示し、本実施形態の地表埋設用枠体１は、３個の子枠体２ａが上下に積み重ねられて平面視隅切四角形をなす有底角筒状の枠体本体２が形成され、該枠体本体２が地中室、具体的には排水マスを形成すべく地表に埋設され、その上部開口部３が隅切四角板状の蓋７によって閉塞されている。
前記枠体本体２は、図２（イ）乃至（ハ）に示すように、最上段の子枠体２ａの上部開口部３を囲繞する周縁部４を地面Ｇより上側に突出させて地表に埋設され、前記開口部３の内周壁に沿って設けられた蓋受段部５に蓋７の周縁部が載置されて開口部３が蓋７により閉塞されている。
又、前記蓋７は、図２（ロ）及び（ハ）に示すように、その上面７ａが枠体本体２の前記周縁部４の上面４ａよりも低く位置されるとともに、地面Ｇと略面一状に位置されている。【００１２】  即ち、前記実施形態と同様に、枠体本体２の周縁部４が地面Ｇより上側で、蓋７の外周縁７ａ′を囲繞して枠体本体２の内外を仕切る障壁をなしている。又、前記周縁部４の断面形状も、図２（ハ）に示すように前記実施形態と略同様となされている。
又、枠体本体２は剛体、例えてコンクリート製となされ、図２（ロ）に示すように、夫々形状が異なる３個の子枠体２ａがその相隣る上下面を凹凸嵌合させて積み重ねられて所謂組立てマスを形成し、上側の２個の子枠体２ａは夫々形状の異なる無底の略角筒状、最下段の子枠体２ａは有底の略角筒状となされ、積層されてなる割栗石１０、モルタル層９の上に設置され、最下段の子枠体２ａには、その側壁に排水管接続のために必要に応じて打ち抜き可能な薄肉部２ｂが設けられている。【００１３】  尚、枠体本体２は他の材質であってもよいし、該枠体本体２を形成する各子枠体２ａの形状は、図２に示すものに限定されず、夫々適宜形状で上下に凹凸嵌合等されて積み重ね可能であればよく、又、枠体本体２はこれら子枠体２ａが適宜複数積み重ねられて形成されたり、或いは単一の有底角筒状の子枠体２ａから形成されてもよく、その形状も前記形状に限定されず、有底円筒状等他の形状であってもよい。又、前記最下段の子枠体２ａの側壁の薄肉部２ｂは予め打ち抜かれて、排水管が接続されてもよいことは勿論である。
又、前記蓋７は、コンクリート板となされ、中央部から適宜離れた２箇所に蓋７を上下に貫通して長孔をなす開閉用の把手用孔７ｃが設けられているが、これに限定されることなく、他の材質や枠体本体２の開口部３に適合する他の形状であってもよく、把手用孔７ｃ以外の開閉手段が付与されてもよい。尚、蓋７の上面７ａは地面Ｇより上側又は下側に位置してもよい。【００１４】  図３は本発明の地表埋設用枠体の他の実施の形態を示し、図１に示す実施形態の変形例であって、本実施形態の地表埋設用枠体１は、図１に示すものと略同様の枠体本体２と蓋７とからなり、図３（ハ）に示すように、蓋７の上面７ａの外周縁７ａ′が地面Ｇより高く位置されるとともに、図３（イ）乃至（ハ）に示すように、枠体本体２の上部開口部３を囲繞する周縁部４に所定間隔をおいて４箇所に、周縁部４の上面４ａから凹陥してその底面６ａが蓋７の上面７ａの外周縁７ａ′付近に達する導水路６としての凹部が設けられている点で図１に示す実施形態と異なり、その他の部分は前記実施形態と同様であるため、各符号及びその説明は前記のものを援用する。【００１５】  前記導水路６は、地面Ｇより上側で枠体本体２の内外を仕切って障壁をなす前記周縁部４にあって、枠体本体２の内側と外側を連通する通路をなし、蓋７の上面７ａ上の雨水等を周縁部４内から外側へ排出可能としたものであり、図３（ハ）に示すように、底面６ａが蓋７の外周縁７ａ′付近から枠体本体２の外側に向けて下降する緩傾斜面となされていると、前記雨水等を速やかに排出でき好ましい。尚、該導水路６は、必ずしも前記図３に示すものに限定されることなく、上部開口部３を囲繞する周縁部４の適宜箇所に適宜数設けられればよく、その形状についても適宜で、例えて図２（ニ）及び（ホ）に示す如く、周縁部４の一部を内外に貫通せる幅広の穿孔状となし、その底面６ａを枠体本体２の内側に向けて下降する緩傾斜面となして枠体本体２の周囲にたん水する地表水等を周縁部４外から枠体本体２内へ導水、集水可能となすことも可能で、地表埋設用枠体１の用途に応じた態様の導水路となせばよい。
又、前記導水路６は、例えば前記図２に示す如き複数の子枠体２ａが上下に積み重ねられてなる枠体本体２の最上段の子枠体２ａ等、枠体本体２をなすべく積み重ねた最上段の子枠体の上部開口部３を囲繞する周縁部４に設けられてもよいことは勿論である。
又、前記蓋７の上面７ａは略水平状面となされているが、例えて図３（ニ）に示す如く、その略中央部から外周縁７ａ′に向かって下降する傾斜面等となされていると、蓋７の上面７ａ上の雨水等が水勢を得て蓋７の周縁部４側に流下し、前記導水路６から排出しやすい利点がある。尚又、上記傾斜面等の頂上が周縁部４の上面４ａより上側に突出しないようになされると、その上側での人等の通行に支障を与えず好ましい。【００１６】  図４（イ）乃至（ハ）は夫々本発明の地表埋設用枠体の他の実施の形態を示し、図１に示す実施形態の変形例であって、本実施形態の各地表埋設用枠体１は、図３における導水路６を設ける代わりに枠体本体２の上部開口部３を囲繞する周縁部４の全周又は適宜箇所が透水層４ｂに形成され、周縁部４の内側と外側が透水層４ｂを介して通水可能に連通されている。
具体的には、蓋７の上面７ａの外周縁７ａ′付近より上側の周縁部４が透水層４ｂに形成され、図４（イ）の場合は周縁部４の全体（全周）が透水層４ｂに形成され、図４（ロ）及び（ハ）の場合は周縁部４の周方向に適宜間隔をあけた複数箇所が透水層４ｂに形成されてなる。
而して、該透水層４ｂは、図４（イ）及び（ロ）の場合は周縁部４の上面４ａから前記外周縁７ａ′付近に至るとともに、下部枠体本体２との界面をなす底面４ｃが蓋７の外周縁７ａ′付近から外側に向けて下る緩傾斜面に形成され、図４（ハ）の場合は周縁部４の上面４ａより間隔を設けた下側位置から前記外周縁７ａ′付近にわたる層状で、下部枠体本体２との界面をなす底面４ｃが外側から蓋７の外周縁７ａ′付近に向けて下る緩傾斜面に形成されている。
尚、透水層４ｂが前記周縁部４の全体（全周）に形成される場合でも、図４（ハ）と同様の層状に形成されてもよく、又、透水層４ｂは上記の他、周縁部４の適宜１又は複数箇所に適宜形状や大きさに形成されればよい。
又、枠体本体２は不透水製、例えてコンクリート製等となされ、周縁部４での透水層４ｂは連続した空隙を有すべく、ポーラスコンクリート等の適宜多孔質材料、透水性材料により形成されればよい。【００１７】  又、本実施形態の地表埋設用枠体１にあっても、図４（イ）及び（ロ）の場合は、前記図３の場合と同様に、蓋７の上面７ａの外周縁７ａ′が地面Ｇより高く位置され、蓋７の上面７ａ上の雨水等を透水層４ｂを介して周縁部４内から外側へ排出可能としたもので、又、図４（ハ）の場合は、蓋７の上面７ａの外周縁７ａ′が地面Ｇより低く位置されて枠体本体２の周囲にたん水する地表水等を周縁部４外からフィルター機能（砂利やゴミ等の侵入を未然に阻止）を奏する透水層４ｂを介して枠体本体２内へ導水、集水可能となすものであり、透水層４ｂは地表埋設用枠体１の用途に応じた態様に形成されればよい。
尚、前記図２（ニ）、（ホ）及び上記図４（ハ）の如く、枠体本体２の周囲にたん水する地表水等を導水路６や透水層４ｂを介して枠体本体２内へ導水、集水可能とする（その底面６ａ、４ｃを枠体本体２内へ向け下降状となす）場合には、例えば図２（ニ）に示す如く蓋７を上下に貫通した把手用孔７ｃたる長孔を兼用したり、図４（ニ）に示す如く蓋７の外周縁７ａ′の適宜複数箇所に切欠状の通水孔７ｅが設けられたり（透水層４ｂは、周縁部４の全周を囲繞）、図４（ホ）の左半部に示す如き円形状の通水孔７ｅ（透水層４ｂは、周縁部４の周方向に点在）、又、図４（ハ）及び（ホ）の右半部に示す如きスリット状の通水孔７ｅ（透水層４ｂは、周縁部４の周方向に層状をなして点在）が、夫々蓋７にその周方向に複数列設され、蓋７の上面７ａ上の地表水等が上記把手用孔７ｃや通水孔７ｅを経て枠体本体２の内部に落下、排水されるようになされるが、かかる把手用孔７ｃや通水孔７ｅの形状は上記のものに限定されず、地表水等の枠体本体２内への落下効率に応じて適宜に変更可能である。
又、透水層４ｂは、前記複数の子枠体２ａを上下に積み重ねた枠体本体２の最上段の子枠体２ａ等、枠体本体２をなすべく積み重ねた最上段の子枠体の上部開口部３を囲繞する周縁部４に形成されてもよい。【００１８】  尚、前記各実施形態では、枠体本体２の形状は無底の略円筒形や、有底の略四角筒形となされているが、これに限定されず、無底、有底を問わず、種々の形状の略筒形状、枠形状やその変形等となされ、その側壁に配管や接続管用等の孔が穿設されてもよく、要するに、形成する弁室、栓室等のボックス類、雨水、汚水等の各種マス類やマンホール、ハンドホール等の筐体類等、地中室に応じた形状であればよい。
又、枠体本体２の上部開口部３を囲繞する周縁部４の断面形状は、前記各実施形態に限定されず、例えば、図５（イ）に示すような台形状、図５（ロ）に示すような上部が丸い山形状となされてもよく、これらの場合には、その上を人が通行する際に周縁部４でつまずき、又、負傷しにくい等の利点がある。更に、図５（ハ）に示すように、金属製等の蓋７との嵌合のために、枠体本体２の上部に金属製等の蓋受枠８が一体的に嵌着されて前記開口部３を囲繞する周縁部４及び蓋受段部５が形成されてもよい。【００１９】  又、蓋７についても、前記各実施形態に限定されず、枠体本体２の開口部３を閉塞すべく該開口部３の形状に適合する各種形状となされればよく、又、単なる板状の他、例えば、図５（イ）及び（ハ）に示すように、その下面に周方向に沿う脚部７ｄが垂下されて該脚部７ｄが蓋受段部５に載置されたり、さらには下面に適宜補強リブが垂下されてもよい。尚又、蓋７の上面７ａは地面Ｇと略面一状に位置せずともよく、適宜の高さ位置となされればよい。
即ち、地表埋設用枠体１を形成する枠体本体２や子枠体２ａ、或いはこれらの上部開口部３やその周縁部４、該周縁部４に設けた導水路６や透水層４ｂ、さらに蓋７等の形状等は前記各実施形態に限定されず、本発明の意図する範囲内で種々の設計の変更が可能である。
【図面の簡単な説明】
【００２０】
【図１】  本発明に係る地表埋設用枠体の一実施の形態を示し、（イ）は平面図、（ロ）は（イ）のＡ−Ａ断面図、（ハ）は（ロ）のＢ部拡大図。
【図２】  本発明に係る地表埋設用枠体の他の実施の形態を示し、（イ）は平面図、（ロ）は（イ）のＣ−Ｃ断面図、（ハ）は（ロ）のＤ部拡大図、（ニ）は更に他の実施の形態を示す半截平面図、（ホ）は同要部拡大断面図。
【図３】  本発明に係る地表埋設用枠体の他の実施の形態を示し、（イ）は平面図、（ロ）は（イ）のＥ−Ｅ断面図、（ハ）は（ロ）のＦ部拡大図、（ニ）は更に他の実施の形態を示す一部拡大断面図。
【図４】  （イ）乃至（ハ）は夫々本発明に係る地表埋設用枠体の他の実施の形態を示す要部断面図、（ニ）及び（ホ）は夫々本発明に係る地表埋設用枠体の更に他の実施の形態を示す平面図。
【図５】  （イ）乃至（ハ）は夫々本発明に係る地表埋設用枠体の他の実施の形態を示す要部断面図。
【図６】  従来の地表埋設用枠体の一例を示す一部断面図。
【符号の説明】
【００２１】１  地表埋設用枠体
２  枠体本体
２ａ  子枠体
３  開口部
４  周縁部
４ａ，７ａ  上面
４ｂ  透水層
４ｃ，６ａ  底面
５  蓋受段部
６  導水路
７  蓋
７ａ′  外周縁
Ｇ  地面
【図１】
2008274736.tif 000003
【図２】
2008274736.tif 000004
【図３】
2008274736.tif 000005
【図４】
2008274736.tif 000006
【図５】
2008274736.tif 000007
【図６】
2008274736.tif 000008